(57)【要約】【課題】編幅途中で編地の前後に重なる部分を有するように編地を左右に分岐させる分岐部を有する編地全体に亘ってほぼ同じ目面を有する編地の編成方法を提供する。【解決手段】分岐部での起点となる左分岐起点部及び右分岐起点部を、互いに混在した状態で配されるように設定する工程Ａと、左分岐起点部のウエール方向に延びる第一左編地部を編成して左編地部を構成する工程Ｂと、右分岐起点部のウエール方向に延びる第一右編地部を編成して右編地部を構成する工程Ｃと、工程Ｂの後に、第一左編地部の編目が左側から順に連続して配置されるように第一左編地部の少なくとも一部の編目を含む分岐部での編目を並べ替える工程Ｄと、工程Ｃの後に、第一右編地部の編目が右側から順に連続して配置されるように第一右編地部の少なくとも一部の編目を含む分岐部での編目を並べ替える工程Ｅとを備える。混在が解消されるまで、工程Ｂ、工程Ｃ、工程Ｄ、及び工程Ｅを行う。【選択図】図３
2019183311.tif 000002
【特許請求の範囲】
【請求項１】
少なくとも前後一対の針床を備え、前後いずれかの前記針床が左右にラッキング可能で、かつ前後の前記針床間で編目の目移しが可能な横編機を用いて、
編地の編幅途中で、編地の前後に重なる部分を有するように左編地部と右編地部とに分岐する分岐部を形成する編地の編成方法において、
一方の針床に係止される編目列のうち、編幅方向に連続して並ぶ複数の編目に対して、前記分岐部での起点となる複数の左分岐起点部及び複数の右分岐起点部を、一方の分岐起点部の隣り合う編目の間に他方の分岐起点部の一目以上の編目が配されるように設定する工程Ａと、
前記左分岐起点部のウエール方向に延びる第一左編地部を編成すると共に、前記第一左編地部のコース方向に延びる第二左編地部を編成し、前記左編地部を構成する工程Ｂと、
前記右分岐起点部のウエール方向に延びる第一右編地部を編成すると共に、前記第一右編地部のコース方向に延びる第二右編地部を編成し、前記右編地部を構成する工程Ｃと、
前記工程Ｂの後に、ラッキング及び目移しを用いて、前記第一左編地部の編目が左側から順に連続して配置されるように前記第一左編地部の少なくとも一部の編目を含む前記分岐部での編目を並べ替える工程Ｄと、
前記工程Ｃの後に、ラッキング及び目移しを用いて、前記第一右編地部の編目が右側から順に連続して配置されるように前記第一右編地部の少なくとも一部の編目を含む前記分岐部での編目を並べ替える工程Ｅとを備え、
前記第一左編地部及び前記第一右編地部の一方の編地部の隣り合う編目の間に他方の編地部の一目以上の編目が配される混在状態が解消されるまで、前記工程Ｂ、前記工程Ｃ、前記工程Ｄ、及び前記工程Ｅを行う編地の編成方法。
【請求項２】
前記第一左編地部が前記分岐部に対してウエール方向に向かうに従って左側に傾斜するように、前記左編地部のコース方向の編目の数をウエール方向に向かうに従って徐々に減らす工程Ｆと、
前記第一右編地部が前記分岐部に対してウエール方向に向かうに従って右側に傾斜するように、前記右編地部のコース方向の編目の数をウエール方向に向かうに従って徐々に減らす工程Ｇとを備える請求項１に記載の編地の編成方法。
【請求項３】
前記第一左編地部及び前記第一右編地部をガーター組織で編成する請求項１又は請求項２に記載の編地の編成方法。
【発明の詳細な説明】
【技術分野】
【０００１】
本発明は、編地の編幅途中で、編地の前後に重なる部分を有するように左編地部と右編地部とに分岐する分岐部を形成する編地の編成方法に関する。
【背景技術】
【０００２】
特許文献１では、編幅の途中で編地を左右に分岐させる分岐部を有する編地の編成方法を開示している。この編地の編成方法では、分岐部領域での左編出し部に続く編地部、及び右編出し部に続く編地部の編成を、隣り合う編目（左編出し部の編目）の間に異なる編目（右編出し部の編目）が設けられた針抜き状態で行っている。
【先行技術文献】
【特許文献】
【０００３】
【特許文献１】特許第６１０４０１８号公報
【発明の概要】
【発明が解決しようとする課題】
【０００４】
特許文献１で開示する針抜き状態で編成すると、分岐部領域での各編出し部に続く編地部の目面が、他の編地部の目面に比較して粗くなり易い。例えば、Ｖネックベストにおいて、Ｖネックの尖端部で内外に重なるように左衿部と右衿部とが設けられている場合、左衿部及び右衿部の目面が、左肩部及び右肩部や胴部の目面に比較して粗くなる。
【０００５】
本発明は、上記事情に鑑みてなされたものであり、編幅途中で編地の前後に重なる部分を有するように編地を左右に分岐させる分岐部を有する編地全体に亘ってほぼ同じ目面を有する編地の編成方法を提供することを目的の一つとする。
【課題を解決するための手段】
【０００６】
本発明の一態様に係る編地の編成方法は、
少なくとも前後一対の針床を備え、前後いずれかの前記針床が左右にラッキング可能で、かつ前後の前記針床間で編目の目移しが可能な横編機を用いて、
編地の編幅途中で、編地の前後に重なる部分を有するように左編地部と右編地部とに分岐する分岐部を形成する編地の編成方法において、
一方の針床に係止される編目列のうち、編幅方向に連続して並ぶ複数の編目に対して、前記分岐部での起点となる複数の左分岐起点部及び複数の右分岐起点部を、一方の分岐起点部の隣り合う編目の間に他方の分岐起点部の一目以上の編目が配されるように設定する工程Ａと、
前記左分岐起点部のウエール方向に延びる第一左編地部を編成すると共に、前記第一左編地部のコース方向に延びる第二左編地部を編成し、前記左編地部を構成する工程Ｂと、
前記右分岐起点部のウエール方向に延びる第一右編地部を編成すると共に、前記第一右編地部のコース方向に延びる第二右編地部を編成し、前記右編地部を構成する工程Ｃと、
前記工程Ｂの後に、ラッキング及び目移しを用いて、前記第一左編地部の編目が左側から順に連続して配置されるように前記第一左編地部の少なくとも一部の編目を含む前記分岐部での編目を並べ替える工程Ｄと、
前記工程Ｃの後に、ラッキング及び目移しを用いて、前記第一右編地部の編目が右側から順に連続して配置されるように前記第一右編地部の少なくとも一部の編目を含む前記分岐部での編目を並べ替える工程Ｅとを備え、
前記第一左編地部及び前記第一右編地部の一方の編地部の隣り合う編目の間に他方の編地部の一目以上の編目が配される混在状態が解消されるまで、前記工程Ｂ、前記工程Ｃ、前記工程Ｄ、及び前記工程Ｅを行う。
【０００７】
上記編地の編成方法の一形態として、
前記第一左編地部が前記分岐部に対してウエール方向に向かうに従って左側に傾斜するように、前記左編地部のコース方向の編目の数をウエール方向に向かうに従って徐々に減らす工程Ｆと、
前記第一右編地部が前記分岐部に対してウエール方向に向かうに従って右側に傾斜するように、前記右編地部のコース方向の編目の数をウエール方向に向かうに従って徐々に減らす工程Ｇとを備えることが挙げられる。
【０００８】
上記編地の編成方法の一形態として、前記第一左編地部及び前記第一右編地部をガーター組織で編成することが挙げられる。
【発明の効果】
【０００９】
本発明の編地の編成方法では、左分岐起点部及び右分岐起点部の各分岐起点部として、一方の分岐起点部の隣り合う編目の間に他方の分岐起点部の一目以上の編目を配置しているため、左右の各分岐起点部に繋がる第一左編地部及び第一右編地部の各編地部は針抜き状態で編成されることになり、この編成で形成された編目は粗く見える。しかしその後に、第一左編地部及び第一右編地部を編成しながら、上記針抜き状態（第一左編地部の編目と第一右編地部の編目との混在状態）を解消する編成を行うため、混在が解消された箇所では、隣り合う編目間のシンカーループが短くなり、粗い目が順次解消される。そして、上記混在が完全に解消された後は、各編地部は隣り合う編針を用いる総針状態で編成されることになり、粗い目が存在せずに、編地全体に亘ってほぼ同じ目面を有する編地を得ることができる。
【００１０】
分岐部の形成においては、一方の針床に係止される編目列の編幅方向に連続して並ぶ複数の編目に対して割増やしなどの増し目を形成することで、各分岐起点部を総針状態で編針に係止させることも考えられる。しかし、この場合、各分岐起点部は前後の針床にそれぞれ分岐した状態で編針に係止されることになり、編目同士で編糸が複雑に絡む。本発明の編地の編成方法では、割増やしなどの増し目を形成することなく、左分岐起点部及び右分岐起点部を配置しているため、分岐部では、編目同士で編糸の複雑な絡みがなくシンプルであり、編成も容易である。また、編糸の種類によらず編目が縦横に自由に変形でき、分岐部で編糸にかかる負荷の一極集中を回避することができるため、分岐部の強度も増す。
【００１１】
左編地部及び右編地部のコース方向の編目の数をウエール方向に向かうに従って徐々に減らすことで、例えばＶネックのように左編地部と右編地部とで角度を有する開口部を形成でき、かつ見栄えのよい分岐部を設けることができる。
【００１２】
第一左編地部及び第一右編地部をガーター組織で編成することで、第一左編地部及び第一右編地部に巻き癖が生じ難く、左編地部及び右編地部の側端部に生じ得る巻きを防止し易い。
【図面の簡単な説明】
【００１３】
【図１】実施形態に係る編地の編成方法を用いて編成されたＶネックベストの前身頃の概略図である。
【図２】実施形態に係る編地の編成方法の前半部分を示す編成工程図である。
【図３】実施形態に係る編地の編成方法の後半部分を示す編成工程図である。
【発明を実施するための形態】
【００１４】
以下、本発明の編地の編成方法の実施形態を図面に基づいて説明する。実施形態では、左右方向に延び、かつ前後方向に互いに対向する下部前針床（以下、ＦＤ）と下部後針床（以下、ＢＤ）、及びこれらＦＤとＢＤの上方に設けられ、下部の針床と同ピッチで多数の編針が列設された上部前針床（以下、ＦＵ）と上部後針床（以下、ＢＵ）を備える４枚ベッド横編機を用いたＶネックベストの編成例を説明する。この横編機は、前後の針床間で編目の目移しが可能で、ＢＤ，ＢＵは左右にラッキング可能である。なお、使用する横編機は、４枚ベッド横編機に限定されるわけではなく、２枚ベッド横編機であっても良い。
【００１５】
図１は、実施形態に係る編地の編成方法を用いて編成されたＶネックベスト（編地）１の概略図である。Ｖネックベスト１は、前身頃と後身頃とが無縫製で筒状に編成されている。Ｖネックベスト１の前身頃は、ベース編地部２と、図１のＹ−Ｙ上の分岐部３から左右に分岐された左編地部４及び右編地部５とを備える。分岐部３は、左編地部４の一部と右編地部５の一部とが編地の前後に重なるように形成される。左編地部４は、分岐部３を起点としてＶネックの開口部の周縁に沿って形成される第一左編地部４１と、第一左編地部４１のコース方向に続く第二左編地部４２とを備える。同様に、右編地部５は、分岐部３を起点としてＶネックの開口部の周縁に沿って形成される第一右編地部５１と、第一右編地部５１のコース方向に続く第二右編地部５２とを備える。
【００１６】
実施形態では、ベース編地部２は胴部を構成し、第一左編地部４１及び第一右編地部５１はそれぞれ左衿部及び右衿部を構成し、第二左編地部４２及び第二右編地部５２はそれぞれ左肩部及び右肩部等を構成する。第一左編地部４１及び第一右編地部５１は、Ｖネック尖端部における分岐部３付近で、編地の前後に重なる部分を有する。実施形態では、第一左編地部４１及び第一右編地部５１は、第一左編地部４１が前側（外側）に位置し、第一右編地部が後側（内側）に位置するように重なっている。
【００１７】
図２及び図３は、実施形態に係る編地の編成方法を示す編成工程図であり、図１のＶネックベスト１の分岐部３から左編地部４及び右編地部５を編成するための編成工程図である。図２及び図３の左欄の『Ｓ＋数字』は編成工程の番号を、右欄は各編成工程における針床の編成状態を示す。右欄において、Ａ〜Ｔの黒点は編針、四角印は第一左編地部４１の編目、ダイヤ印は第一右編地部５１の編目、丸印は第二左編地部４２、第二右編地部５２、及び後身頃を構成する後編地部６の編目、逆三角形は給糸口９を示す。各編成工程で編成動作に関わる部分は太線で示すと共に、当該編成工程で新たに編成された編目は塗り潰して示す。白抜きの編目は、編針に係止される旧編目を示す。なお、説明の便宜上、使用する針数は実際の編成よりも少なくしている。また、編目の移動の際に行われるＢＤ，ＢＵのラッキング状態の図示は省略している。
【００１８】
Ｓ１では、給糸口９を用い、紙面左方向に向けてＦＤの編針Ｓ〜Ｂを含む連続した編針を用いて前身頃のベース編地部２の編目を形成し、更に右方向に向けてＢＤの編針Ｂ〜Ｓを含む連続した編針を用いて後身頃の後編地部６の編目を形成した状態が示されている。このＳ１の状態において、ＦＤに係止される編目列のうち、編幅方向に連続して並ぶ複数の編目に対して、分岐部３での起点となる左分岐起点部４０及び右分岐起点部５０を設定する。実施形態では、左分岐起点部４０及び右分岐起点部５０は、ＦＤの編針Ｄ〜Ｑに係止される連続した編目に対して、一目置きに交互に設定しており、ＦＤの編針Ｄ，Ｆ，Ｈ，Ｊ，Ｋ，Ｎ，Ｐに係止される編目が左分岐起点部４０であり、ＦＤの編針Ｅ，Ｇ，Ｉ，Ｋ，Ｍ，Ｏ，Ｑに係止される編目が右分岐起点部５０である。Ｓ１は工程Ａに相当する。
【００１９】
Ｓ２及びＳ３では、左分岐起点部４０のウエール方向に延びる第一左編地部４１をガーター組織で編成すると共に、第一左編地部４１のコース方向に延びる第二左編地部４２を天竺組織で編成する。Ｓ２では、ＦＤの編針Ｅ，Ｇ，Ｉ，Ｋ，Ｍ，Ｏ，Ｑに係止される編目（右分岐起点部５０）をＢＵの編針Ｅ，Ｇ，Ｉ，Ｋ，Ｍ，Ｏ，Ｑに目移しした後、給糸口９を左方向に移動させ、ＦＤの編針Ｓ，Ｒ，Ｐ，Ｎ，Ｌ，Ｊ，Ｈ，Ｆ，Ｄに係止された編目に続けて新たな編目を形成する。Ｓ２では、ガーター組織となる表目を編成する。Ｓ３では、ＦＤの編針Ｆ，Ｈ，Ｊ，Ｌ，Ｎ，Ｐに係止される編目をＢＵの編針Ｆ，Ｈ，Ｊ，Ｌ，Ｎ，Ｐに目移しした後、給糸口９を右方向に移動させ、ＦＤの編針Ｄに係止された編目、ＢＵの編針Ｆ，Ｈ，Ｊ，Ｌ，Ｎ，Ｐに係止された編目、ＦＤの編針Ｒ，Ｓに係止された編目、及びＦＤの編針Ｓの右方向（図示せず）に続けて新たな編目を形成する。Ｓ３では、ＢＵの編針に係止された編目に続いてガーター組織となる裏目を編成する。Ｓ２及びＳ３は工程Ｂに相当する。
【００２０】
Ｓ４では、ＢＵの編針Ｅ〜Ｑに係止される編目をＦＤの編針Ｅ〜Ｑに目移しする。Ｓ５では、給糸口９を左方向に移動させ、ＢＤの編針Ｓ〜Ｂに係止された編目に続けて新たな編目を形成し、後編地部６を編成する。
【００２１】
Ｓ６及びＳ７では、右分岐起点部５０のウエール方向に延びる第一右編地部５１をガーター組織で編成すると共に、第一右編地部５１のコース方向に延びる第二右編地部５２を天竺組織で編成する。Ｓ６では、給糸口９を右方向に移動させ、ＦＤの編針Ｂ，Ｃ，Ｅ，Ｇ，Ｉ，Ｋ，Ｍ，Ｏ，Ｑに係止された編目に続けて新たな編目を形成する。Ｓ６では、ガーター組織となる表目を編成する。Ｓ７では、ＦＤの編針Ｅ，Ｇ，Ｉ，Ｋ，Ｍ，Ｏに係止される編目をＢＵの編針Ｅ，Ｇ，Ｉ，Ｋ，Ｍ，Ｏに目移しした後、給糸口９を左方向に移動させ、ＦＤの編針Ｑに係止された編目、ＢＵの編針Ｏ，Ｍ，Ｋ，Ｉ，Ｇ，Ｅに係止された編目、ＦＤの編針Ｃ，Ｂに係止された編目、及びＦＤの編針Ｂの左方向（図示せず）に続けて新たな編目を形成する。Ｓ７では、ＢＵの編針に係止された編目に続いてガーター組織となる裏目を編成する。Ｓ６及びＳ７は工程Ｃに相当する。
【００２２】
Ｓ８では、ＢＵの編針Ｅ，Ｇ，Ｉ，Ｋ，Ｍ，Ｏに係止される編目をＦＤの編針Ｅ，Ｇ，Ｉ，Ｋ，Ｍ，Ｏに目移しする。Ｓ８の状態では、左分岐起点部４０のウエール方向に延びる第一左編地部４１の編目と、右分岐起点部５０のウエール方向に延びる第一右編地部５１の編目とは、ＦＤの編針Ｄ〜Ｑの連続した編針に一目置きに交互に係止されている。
【００２３】
Ｓ９〜Ｓ１１では、第一左編地部４１の編目と第一右編地部５１の編目とが一目置きに交互に混在する混在領域において、ラッキング及び目移しを用いて、第一左編地部４１の編目と第一右編地部５１の編目の一部を並べ替える。Ｓ９では、ＦＤの編針Ｄ〜Ｑに係止される編目をＢＵの編針Ｄ〜Ｑに目移しする。Ｓ１０では、ＢＤ，ＢＵを右方向に１針分ラッキングし、ＢＵの編針Ｐに係止される編目をＦＤの編針Ｑに目移しする。その後、ＢＤ，ＢＵを更に右方向に１針分ラッキングし、ＢＵの編針Ｄ，Ｆ，Ｈ，Ｊ，Ｌ，Ｎに係止される編目をＦＤの編針Ｆ，Ｈ，Ｊ，Ｌ，Ｎ，Ｐに目移しする。ＦＤの編針Ｆ，Ｈ，Ｊ，Ｌ，Ｎ，Ｐに係止される編目は、第一左編地部４１の編目である。
【００２４】
Ｓ１１では、ＢＤ，ＢＵを左方向に３針分ラッキングし、ＢＵの編針Ｅに係止される編目をＦＤの編針Ｄに目移しする。その後、ＢＤ，ＢＵを更に左方向に１針分ラッキングし、ＢＵの編針Ｇ，Ｉ，Ｋ，Ｍ，Ｏ，Ｑに係止される編目をＦＤの編針Ｅ，Ｇ，Ｉ，Ｋ，Ｍ，Ｏに目移しする。ＦＤの編針Ｅ，Ｇ，Ｉ，Ｋ，Ｍ，Ｏに係止される編目は、第一右編地部５１の編目である。
【００２５】
Ｓ１１の状態では、ＦＤの編針Ｆ〜Ｏの連続した編針に係止される編目が、第一左編地部４１及び第一右編地部５１の一方の編地部の隣り合う編目の間に他方の編地部の編目が配された混在領域の編目である。一方、ＦＤの編針Ｐ，Ｑ及び編針Ｄ，Ｅのそれぞれ連続した編針に係止される編目が、混在が解消された編目である。ここで、混在が解消された状態とは、第一左編地部４１の少なくとも一部の編目が第二左編地部４２の編目に連続して左側から順に配置された状態、及び第一右編地部５１の少なくとも一部の編目が第二右編地部５２の編目に連続して右側から順に配置された状態、の少なくとも一方の状態を満たすことである。Ｓ９及びＳ１０は工程Ｄに相当し、Ｓ９及びＳ１１は工程Ｅに相当する。
【００２６】
Ｓ１２では、給糸口９を右方向に移動させ、ＢＤの編針Ｂ〜Ｓに係止された編目に続けて新たな編目を形成し、後編地部６を編成する。
【００２７】
その後、第一左編地部４１の編目と第一右編地部５１の編目とが一目置きに交互に混在した状態が解消されるまで、Ｓ２〜Ｓ１２を繰り返す。実施形態では、Ｓ１２の状態から、Ｓ２〜Ｓ１２を３回繰り返す。具体的には、１回目の繰り返しでは、第一左編地部４１をガーター組織で編成すると共に、第一左編地部４１のコース方向に続く第二左編地部４２を編成する（工程Ｂ）。また、第一右編地部５１をガーター組織で編成すると共に、第二右編地部５２を編成する（工程Ｃ）。その後、ＦＤの編針Ｆ〜Ｏに係止される編目（Ｓ１２を参照）に対して、ラッキング及び目移しを用いて、ＦＤの編針Ｆ，Ｈ，Ｊ，Ｌ，Ｎに係止される編目をＦＤの編針Ｈ，Ｊ，Ｌ，Ｎ，Ｏに目移しし、ＦＤの編針Ｇ，Ｉ，Ｋ，Ｍ，Ｏに係止される編目をＦＤの編針Ｆ，Ｇ，Ｉ，Ｋ，Ｍに目移しする（工程Ｄ及び工程Ｅ）。
【００２８】
この一回目の繰り返しが終了した状態では、ＦＤの編針Ｎ，Ｏ，Ｐ，Ｑ及び編針Ｄ，Ｅ，Ｆ，Ｇの連続した編針に係止される編目は、それぞれ第一左編地部４１の編目と第一右編地部５１の編目との混在が解消されており、ＦＤの編針Ｈ〜Ｍの連続した編針に係止される編目は、第一左編地部４１の編目と第一右編地部５１の編目との混在が残存したままである。更に工程Ｂ〜工程Ｅを２回繰り返すことで、Ｓ１３に示すように、第一左編地部４１の編目と第一右編地部５１の編目との混在が完全に解消され、ＦＤの編針Ｋ〜Ｑの連続した編針に第一左編地部４１の編目が係止され、ＦＤの編針Ｄ〜Ｊの連続した編針に第一右編地部５１の編目が係止される。第一左編地部４１の編目と第一右編地部５１の編目との混在が完全に解消された状態では、第一左編地部４１の編目は、第二左編地部４２の編目に連続して左側から順に配置され、第一右編地部５１の編目は、第二右編地部５２の編目に連続して右側から順に配置される。
【００２９】
Ｓ１３の後に、左編地部４のコース方向の編目の数をウエール方向に向かうに従って徐々に減らす（工程Ｆ）と共に、右編地部５のコース方向の編目の数をウエール方向に向かうに従って徐々に減らす（工程Ｇ）ことで、Ｖネックの開口部を形成できる。具体的には、Ｓ１３の後に、ＦＤの編針Ｋ〜Ｑに係止される編目をＦＤの編針Ｍ〜Ｓに目移しし、ＦＤの編針Ｒ，Ｓに係止される編目に重ね目を形成すると共に、ＦＤの編針Ｄ〜Ｊに係止される編目をＦＤの編針Ｂ〜Ｈに目移しし、ＦＤの編針Ｂ，Ｃに係止される編目に重ね目を形成する。そうすることで、左編地部４及び右編地部５のコース方向の編目の数がそれぞれ二目減る。重ね目を形成した後は、新たな編目を形成する。この重ね目の形成と新たな編目の形成とを繰り返し行うことで、第一左編地部４１が分岐部３に対してウエール方向に沿って左側（アームホール側）に傾斜すると共に、第一右編地部５１が分岐部３に対してウエール方向に沿って右側（アームホール側）に傾斜するようなＶネックの開口部を形成できる。なお、重ね目を形成する数は二目に限定されず、一目ずつ行ってもよい。
【００３０】
本発明はこれらの例示に限定されるものではなく、上述した実施形態において、以下の変更が可能である。
【００３１】
（１）実施形態では、左分岐起点部４０と右分岐起点部５０とを一目置きに交互に設定したが、これに限定されない。左分岐起点部４０（左分岐起点部４０に続く第一左編地部４１の編目）を『□』、右分岐起点部５０（右分岐起点部５０に続く第一右編地部５１の編目）を『◇』とすると、□◇◇□□◇、□□◇□□◇などが挙げられる。
【００３２】
（２）実施形態では、分岐部３の幅と左衿部及び右衿部の各幅とを同じに設定したが、これに限定されない。分岐部３の幅と左衿部及び右衿部の各幅とが異なる場合、例えば、第一左編地部４１（第一右編地部５１）は、左衿部（右衿部）の一部を構成する。
【００３３】
（３）実施形態では、第一左編地部４１及び第一右編地部５１をガーター組織で編成したが、リブ組織や天竺組織で編成することもできる。また、第二左編地部４２及び第二右編地部５２も、天竺組織の編成に限定されず、リブ組織やガーター組織で編成することもできる。
【００３４】
（４）実施形態では、第一左編地部４１が前側に位置し、第一右編地部が後側に位置して重なるように編成したが、第一右編地部５１が前側に位置し、第一左編地部が後側に位置して重なるように編成することもできる。
【００３５】
（５）実施形態では、第一左編地部４１の編目と第一右編地部５１の編目との混在が解消されるまで、工程Ｂ→工程Ｃ→工程Ｄ→工程Ｅの順に繰り返したが、各工程の繰り返し順序はこれに限定されない。例えば、工程Ｃ→工程Ｂ→工程Ｅ→工程Ｄや、工程Ｂ→工程Ｄ→工程Ｃ→工程Ｅの順に繰り返すこともできる。また、左分岐起点部４０及び右分岐起点部５０の目数によっては、工程Ａ→工程Ｂ→工程Ｃ→工程Ｄ→工程Ｅを一回行うだけで上記混在を解消することもできる。
【００３６】
（６）実施形態では、工程Ｄ及び工程Ｅにおいて、第一左編地部４１の編目と第一右編地部５１の編目との並べ替えを行うにあたり、ＢＤ，ＢＵを基準位置（Ｓ１のＢＤ，ＢＵの位置）からそれぞれ左右に２針分のラッキングを行っているが、ラッキング量はこれに限らず、弾性糸などでは更に大きなラッキング量も可能である。その場合、１工程における第一左編地部４１（第一右編地部５１）の編目を左側（右側）から順に連続させる編目の数を多くできる。実施形態では、編目の混在が解消されるまで、各工程の繰り返しを３回行ったが、その回数を減らすこともできる。
【００３７】
（７）実施形態では、第一左編地部４１の編目と第一右編地部５１の編目との混在が完全に解消された後に、Ｖネックの開口部を形成したが、第一左編地部４１の編目と第一右編地部５１の編目との混在を解消しながら、Ｖネックの開口部を形成することもできる。例えば、第一左編地部４１の一部及び第一右編地部５１の一部で混在が解消されれば、混在領域が残存していたとしても、混在が解消された編目を用いて上記重ね目を形成することができる。
【００３８】
（８）実施形態では、Ｖネックベストの編成例を説明したが、ポロシャツの前立てのようにウエール方向に沿って並行に延びる第一左編地部（左衿部）及び第一右編地部（右衿部）を有する編地を編成することもできる。前立てのような第一左編地部及び第一右編地部は、Ｓ１３の後に、編目の減らしを行わず、Ｃ字状に折り返し編成を行うことで形成できる。
【符号の説明】
【００３９】
１  Ｖネックベスト（編地）
２  ベース編地部
３  分岐部
４  左編地部
４０  左分岐起点部
４１  第一左編地部
４２  第二左編地部
５  右編地部
５０  右分岐起点部
５１  第一右編地部
５２  第二右編地部
６  後編地部
９  給糸口
【図１】
2019183311.tif 000003
【図２】
2019183311.tif 000004
【図３】
2019183311.tif 000005